(57)【要約】【課題】商品に関する情報と、商品の外観とを容易且つ確実に視認することのできる包装箱を提供する。【解決手段】底壁２と該底壁２から突出する環状の側壁３とによって囲まれる範囲に商品の収容部５が構成されているとともに、商品２０に関する情報として商品名称１７が露出面に表示された包装箱１であって、商品２０が外部から視認できるように、商品２０を収容部５の外側に位置させた状態で支持する支持部を備え、該支持部は、支持した商品２０を、商品名称１７が表示されていない壁面の側方に位置させるように設けられている。【選択図】図４
2009274757.tif 000002
【特許請求の範囲】
【請求項１】
底壁と該底壁から突出する環状の側壁とによって囲まれる範囲に商品の収容部が構成されているとともに、前記商品に関する情報が露出面に表示された包装箱であって、
前記商品を前記収容部の外側に位置させた状態で支持する支持部を備え、
前記支持部は、支持した商品を、前記商品に関する情報が表示されていない壁面の側方に位置させるように設けられていることを特徴とする包装箱。
【請求項２】
前記支持部は、支持した商品を、前記商品に関する情報が視認できる所定の視点からの視野内に存在させるように設けられていることを特徴とする請求項１に記載の包装箱。
【請求項３】
前記包装箱において前記商品に関する情報が表示されていない壁には、前記商品の所定部分が差し込まれる切り欠きが形成され、
前記支持部は、前記切り欠きに前記商品の所定部分が差し込まれた状態で、前記商品の所定部分を前後から挟む前記切り欠きの周囲の壁面によって構成されることを特徴とする請求項１又は２に記載の包装箱。
【請求項４】
前記環状の側壁は、前記底壁と反対側が開口し、該開口を介して前記収容部に前記商品を出し入れするようになっていることを特徴とする請求項１ないし３のいずれか１項に記載の包装箱。
【請求項５】
前記環状の側壁における底壁と反対側の縁の一辺から前記収容部の外側に起立する延設壁をさらに備え、
前記商品に関する情報は、前記環状の側壁の外面に表示され、
前記支持部は、支持した商品を、前記延設壁の壁面の側方に位置させるように設けられていることを特徴とする請求項４に記載の包装箱。
【請求項６】
前記商品に関する情報は、前記環状の側壁において前記延設壁と対向する対向壁の外面に表示され、
前記支持部は、支持した商品を、前記延設壁における前記対向壁側の露出面の側方に位置させるように設けられていることを特徴とする請求項５に記載の包装箱。
【請求項７】
前記環状の側壁における底壁と反対側の縁の一辺から前記収容部の外側に起立する延設壁をさらに備え、
前記商品に関する情報は、前記延設壁の露出面に表示され、
前記支持部は、支持した商品を、前記環状の側壁の外面の側方に位置させるように設けられていることを特徴とする請求項４に記載の包装箱。
【請求項８】
前記支持部は、支持した商品を、前記環状の側壁において前記延設壁と対向する対向壁の外面の側方に位置させるように設けられ、
前記商品に関する情報は、前記延設壁における前記対向壁側の露出面に表示されていることを特徴とする請求項７に記載の包装箱。
【請求項９】
前記延設壁は、前記側壁における底壁と反対側の縁の一辺に沿って前記開口側に折り曲げられることで、前記開口を塞ぐことが可能に設けられていることを特徴とする請求項５ないし８のいずれか１項に記載の包装箱。
【請求項１０】
前記延設壁は、該延設壁の中央に形成された折曲線に沿って前記開口側に折り曲げられることで、その先端部分が前記収容部の内部に位置するとともに、前記先端部分以外の部分が前記収容部の外側に起立するように設けられ、
前記側壁における底壁と反対側の縁において前記延設壁が設けられていない他辺には、該縁の他辺に沿って前記開口側に折り曲げられることで、前記収容部の内部で前記先端部分の前に突出する舌片が延設され、
前記舌片が前記先端部分の前に突出した状態では、前記先端部分が、前記舌片の端面と、前記環状の側壁の内面との間に挟み込まれることで、前記先端部分以外の部分は、前記収容部の外側に起立した状態が維持されていることを特徴とする請求項５ないし９のいずれか１項に記載の包装箱。
【発明の詳細な説明】
【技術分野】
【０００１】
本発明は、底壁と該底壁から突出する環状の側壁とによって囲まれる範囲に商品の収容部が構成されているとともに、前記商品に関する情報が露出面に表示された包装箱に関する。
【背景技術】
【０００２】
特許文献１及び２には、底壁と該底壁から突出する環状の側壁とによって囲まれた範囲に商品の収容部が構成された包装箱が開示されている。これらの包装箱において、環状の側壁における底壁と反対側の縁の一辺には、該縁の一辺から起立させることが可能な蓋部が連設されている。そして蓋部を起立させることで、該蓋部において商品情報が表示された面を露出させて、消費者に商品情報を視認させるようになっている。
【０００３】
さらに特許文献２では、蓋部に、前記商品情報が表示された面から商品を突出させた状態で保持する保持部が設けられており、蓋部を起立させた状態で保持部に商品を保持させることで、消費者に商品の外観を視認させるようになっている。
【０００４】
また特許文献３には、包装箱と、該包装箱が掛止される台紙とから構成された容器付き台紙が開示されている。この容器付き台紙では、包装箱に形成された一対のフラップが、台紙に形成されたスリットに挿通することで、包装箱は台紙に掛止されるようになっている。そして、包装箱が透明プラスチック製のブランクシートによって構成されていることで、包装箱内部に収容された商品の外観が視認できるようになっている。
【特許文献１】特開２００５−００１７５１号公報
【特許文献２】実開昭６０−０４１３１６号公報
【特許文献３】特開平１１−２２７７５１号公報
【発明の開示】
【発明が解決しようとする課題】
【０００５】
ところで特許文献１の包装箱では、商品の収容部が環状の側壁の内側に構成されているため、収容部に収容された商品の外観は、前記環状の側壁によって隠された状態になる。このため、消費者は、商品の外観を視認したい場合には、商品の収容部から商品を取り出す必要があり、不便である。また、商品を箱の前面に立て掛けることで商品の外観を視認させるようにした場合には、箱の前面に立て掛けた商品が倒れた場合に、商品を立て直す手間が生じる。
【０００６】
また特許文献２では、保持部に保持された商品が、商品情報が表示された面から突出するようになっているため、前記保持部に保持された商品が商品情報を覆い隠して、商品情報が見えない視野が存在し得る。
【０００７】
また特許文献３では、容器付き台紙を設置するために、台紙を立て掛ける壁などが必要となるために、容器付き台紙は設置場所の制限が大きい。
【０００８】
本発明はこうした状況に鑑みてなされたものであり、その目的は、底壁と該底壁から突出する環状の側壁とによって囲まれる範囲に商品の収容部が構成されているとともに、商品に関する情報が露出面に表示された包装箱であって、前記商品に関する情報と、商品の外観とを容易且つ確実に視認することのできる包装箱を提供する。
【課題を解決するための手段】
【０００９】
上記目的を達成するため、本発明の第１の観点に係る包装箱は、
底壁と該底壁から突出する環状の側壁とによって囲まれる範囲に商品の収容部が構成されているとともに、前記商品に関する情報が露出面に表示された包装箱であって、
前記商品を前記収容部の外側に位置させた状態で支持する支持部を備え、
前記支持部は、支持した商品を、前記商品に関する情報が表示されていない壁面の側方に位置させるように設けられていることを特徴とする包装箱。
【発明の効果】
【００１０】
本発明によれば、包装箱の露出面に商品に関する情報が表示されているとともに、前記支持部によって支持された商品は、前記収容部の外側に位置する。これにより、消費者に、前記商品に関する情報と前記商品の外観とを容易に視認させることができる。また、前記支持部は、支持した商品を、前記商品に関する情報が表示されていない壁面の側方に位置させるように設けられていることから、支持部によって支持された商品は、前記商品に関する情報を覆い隠すことがない。これにより、消費者に、前記商品に関する情報と前記商品の外観とを確実に視認させることができる。
【発明を実施するための最良の形態】
【００１１】
以下、この発明の実施の形態について図面を参照しながら詳細に説明する。なお、図中同一または相当部分には同一符号を付し、その説明は繰り返さない。図１は、本発明の包装箱１の例を示し、図２は、図１に示す包装箱１の組み立て完了後の状態を示している。
【００１２】
包装箱１は、底壁２（図１参照）と、側壁３と、延設壁４とを有している。
【００１３】
側壁３は、底壁２から環状に突出して設けられ、底壁２と側壁３とによって囲まれる範囲に商品２０（図２参照）の収容部５が構成されている。また、側壁３は、底壁２と反対側が開口しており、この開口１６によって収容部５に商品２０を出し入れすることができるようになっている。
【００１４】
図１に示す６は、側壁３における底壁２の反対側の縁の一辺を構成する折曲線を示しており、この折曲線６を介して延設壁４が前記側壁３の縁に延設されている。延設壁４の中央には、折曲線６と略平行な２つの折曲線７，８が形成されており、折曲線８は、折曲線７よりも延設壁４の先端側に位置している。以下、延設壁４において、折曲線７と折曲線８との間の範囲を範囲Ａ、折曲線８から延設壁４の先端側の範囲を範囲Ｂ、側壁３の縁の折曲線６と折曲線７との間の範囲を範囲Ｃ、範囲Ａと範囲Ｂとを合わせた範囲を範囲Ｄ、範囲Ａと範囲Ｃとを合わせた範囲を範囲Ｅとして記す。
【００１５】
図２に示す状態では、延設壁４の範囲Ｄは、折曲線７に沿って開口１６側に折り曲げられている。この結果、延設壁４の範囲Ａと範囲Ｃとは、範囲Ａが開口１６側になるように重なって収容部５の外側に起立しており、また、延設壁４の範囲Ｂは、収容部５の内側に位置している。延設壁４の範囲Ａには、該範囲Ａを貫通する一対の切り欠き９が形成されており、図２に示す状態では、切り欠き９の各々は、他方の切り欠き９に向けて水平に延びた後、下方に延びた形状を呈している。以下、この切り欠き９において、水平に延びている部分を水平延伸部１０、下方に伸びている部分を下方延伸部１１と記す。
【００１６】
側壁３における底壁２と反対側の縁において延設壁４が設けられていない辺１４，１５には、舌片１２，１３が延設されている。辺１４，１５は、折曲線となっており（以下、辺１４，１５を折曲線１４，１５と記す）、折曲線６の端に続いて形成されている。舌片１２，１３は、それぞれ折曲線１４，１５に沿って折り曲げられることで収容部５の内部に延びている。そして図２に示す状態では、舌片１２，１３は、延設壁４の範囲Ｂの前方に突出しており、この結果、範囲Ｂの左右両端が、側壁３の内面（後述の奧側壁３ｂの内面に相当）と舌片１２，１３の端面との間に挟み込まれることで、延設壁４の範囲Ａ，Ｃは、収容部５の外側に起立した状態が維持されている。
【００１７】
側壁３において延設壁４と対向する対向壁３ａの外面には、商品２０に関する情報として商品名称１７が表示されている。以下、側壁３において、対向壁３ａの反対側に位置し、その上端に折曲線６を介して延設壁４が連設されている壁を奥側壁３ｂ（図１参照）、対向壁３ａの右側に位置して、その上端に折曲線１５を介して舌片１３が延設されている壁を右側壁３ｃ、対向壁３ａの左側に位置して、その上端に折曲線１４を介して舌片１２が延設されている壁を左側壁３ｄ（図１参照）として記す。
【００１８】
図３は、商品２０の例を示す拡大図であり、（ａ）は商品２０の正面図、（ｂ）は商品２０の側面図である。商品２０は、台紙２１と、該台紙２１の表面２２の中央に接合された箱状のパッケージ２３とを有している。パッケージ２３は、透明プラスチック製のブランクシートによって構成されており、その内部に収容された電子スタータやグロースタータが視認できるようになっている。以下、台紙２１において、パッケージ２３の左端２３ａよりも左側で上下に延びている部分２１ａを左側縁部と、パッケージ２３の右端２３ｂよりも右側で上下に延びている部分２１ｂを右側縁部と記す。
【００１９】
図４は、図２に示す状態から、切り欠き９に商品２０の台紙２１が差し込まれた状態を示している。この差し込みは、商品２０を開口１６の上方に配置した状態で、台紙２１の左側縁部２１ａ及び右側縁部２１ｂの下端２１ｃ，２２ｄ（図３参照）を、それぞれ左右の水平延伸部１０に通して延設壁４の範囲Ａと範囲Ｃとの間に突き出した後に、左側縁部２１ａ及び右側縁部２１ｂを左右の下方延伸部１１（図２参照）に沿ってスライドさせるように行われる。このスライド時において、パッケージ２３は、左右の下方延伸部１１の間を通過する。
【００２０】
そして、このスライドが行われると、パッケージ２３は、左右の下方延伸部１１の間に位置し、台紙２１は、延設壁４における切り欠き９周囲の壁面に前後から挟み込まれた状態になる。この結果、切り欠き９周囲の壁面によって商品２０が支持されて、該支持された商品２０は、収容部５の外側、すなわち延設壁４における開口１６側の露出面（範囲Ａの表面）の側方に位置する。このため、該支持された商品２０は、その外観が外部から視認できるようになる（すなわちパッケージ２３内に収容された電子スタータやグロースタータが外部から視認できるようになる）。
【００２１】
なお上述のスライドが可能となるように、台紙２１の横幅Ｆ（図３参照）は、左右の下方延伸部１１の間の長さＧ（図２参照）よりも大きく、一方の水平延伸部１０の外端から他方の水平延伸部１０の外端に至る長さＨ（図２参照）よりも小さく設定されている。また、パッケージ２３の横幅Ｉ（図３参照）は、左右の下方延伸部１１の間の長さＧ（図２参照）よりも小さく設定されている。
【００２２】
図５は、収容部５が閉じられた状態を示している。本実施形態では、延設壁４の範囲Ａと範囲Ｃとを合わせた範囲Ｅ（図１参照）の平面形状は、開口１６の断面形状と一致しており、範囲Ｅを折曲線６に沿って開口１６側に折り曲げることで、範囲Ｅによって開口１６を塞いで収容部５を閉じることができるようになっている。また、この際には、舌片１２，１３は延設壁４の範囲Ｅに貼り付けられ、また延設壁４の範囲Ｂは、折曲線８に沿って折り曲げられて対向壁３ａに貼り付けられる。この貼り付けにより、収容部５は閉じられた状態が維持される。
【００２３】
図６は、包装箱１の展開図を示している。以下では、図６に示す矢印により方向を指定して説明する。
【００２４】
包装箱１は１枚の紙によって組み立てられ、この紙では、環状の側壁３を構成する右側壁３ｃ、対向壁３ａ、左側壁３ｄ、奥側壁３ｂが、この並び順で折曲線３０，３１，３２を介して上下に連設されている。右側壁３ｃは、その右端に図１，２に示した折曲線１５を介して舌片１３が連設され、左端に折曲線３４を介して舌片３５が連設され、上端に折曲線３６を介して舌片３７が連設されている。左側壁３ｄは、その右端に図１，２に示した折曲線１４を介して舌片１２が連設され、左端に折曲線３８を介して舌片３９が連設されている。延設壁４は、その左端が図１に示した折曲線６を介して奧側壁３ｂに連設されている。底壁２は、その右端が折曲線３３を介して奧側壁３ｂに連設されており、その左端に折曲線４０を介して舌片４１が連設されている。また図６に示す状態では、商品名称１７は対向壁３ａの裏面側に表示されている（図６において符号１７に付した（）は、商品名称１７が裏面側に表示されていることを示す）。
【００２５】
次に、包装箱１の組み立て手順について説明する。まず図２に示す状態を組み立てる手順について図６〜１２を用いて説明する。
【００２６】
はじめに、図６に示す状態から、左側壁３ｄを折曲線３２に沿って図６の手前側に折り曲げるとともに、左側壁３ｄに連設された舌片３９を折曲線３８に沿って内側に折り曲げる（図７）。この際、左側壁３ｄは奥側壁３ｂに対して垂直に折り曲げ、舌片３９は右側壁３ｃに対して垂直に折り曲げる。この結果、右側壁３ｃ、対向壁３ａ、及び左側壁３ｄは、奧側壁３ｂに対して垂直に立設した状態になる。
【００２７】
次に、対向壁３ａを折曲線３１に沿って内側に折り曲げる（図８）。この際、対向壁３ａは、左側壁３ｄに対して垂直に折り曲げる。この結果、右側壁３ｃ及び対向壁３ａは、奧側壁３ｂと向かい合った状態で、奧側壁３ｂに対して平行になる。
【００２８】
次に、右側壁３ｃを折曲線３０に沿って内側に折り曲げるとともに、右側壁３ｄに連設された舌片３５，３７を、それぞれ折曲線３４，３６に沿って内側に折り曲げる（図９）。この際、左側壁３ｄは、対向壁３ａに対して垂直に折り曲げ、また、舌片３５，３７は、左側壁３ｄに対して垂直に折り曲げる。
【００２９】
次に、舌片３７を、奥側壁３ｂに貼り付ける。この結果、右側壁３ｃと、対向壁３ａと、左側壁３ｄと、奧側壁３ｂとによって、環状の側壁３が構成される。
【００３０】
次に、底壁２を折曲線３３に沿って内側に折り曲げるとともに、底壁２に連設された舌片４１を折曲線４０に沿って内側に折り曲げる（図１０）。この際、底壁２は奥側壁３ｂに対して垂直に折り曲げ、舌片４１は底壁２に対して垂直に折り曲げる。
【００３１】
次に、舌片３５，３９を底壁２に貼着し、舌片４１を対向壁３ａに貼着する。この結果、底壁２と側壁３とによって囲まれる範囲に収容部５が構成されるとともに、側壁３は底壁２と反対側が開口し、延設壁４は収容部５の外側に延び出た状態になる。
【００３２】
次に、延設壁４における範囲Ａと範囲Ｂとを合わせた範囲Ｄを、折曲線７に沿って内側に折り曲げる（図１１）。この結果、延設壁４における範囲Ａと範囲Ｃとは、収容部５の外側に延び出て、範囲Ｂは、収容部５の内側に位置するようになる。
【００３３】
次に、左側壁３ｄ及び右側壁３ｃに連設された舌片１２，１３を、それぞれ折曲線１４，１５に沿って内側に折り曲げる（図１２）。この際には、舌片１２と左側壁３ｄとの間の角度や舌片１３と右側壁３ｃとの間の角度がそれぞれ鋭角になるように、舌片１２，１３を折り曲げる。この結果、舌片１２，１２は、収容部の内部において延設壁４の範囲Ｂの前方に突出して、範囲Ｂの左右両端は、奧側壁３ｂの内面と舌片１２，１３の端面との間に挟み込まれた状態になる。以上により、図２に示した状態が組み立てられる。
【００３４】
次に、図５に示す状態を組み立てる手順について説明する。図５に示す状態を組み立てる際には、まず図６から図１０に至る手順を行うが、それ以降の手順が図２に示す状態を組み立てる場合と異なる。以下では、この異なる点について図１３，１４を用いて説明する。
【００３５】
図１０に示した状態から、舌片１２，１３を折曲線１４，１５に沿って内側に折り曲げる（図１３）。この際には、舌片１２，１３を、それぞれ左側壁３ｄ及び右側壁３ｃに対して垂直に折り曲げる。
【００３６】
次に、延設壁の範囲Ａと範囲Ｃとを合わせた範囲Ｅを折曲線６に沿って内側に折り曲げるとともに、範囲Ｂを折曲線８に沿って内側に折り曲げる（図１４）。この際には、範囲Ｅを奧側壁３ｂに対して垂直に折り曲げ、また範囲Ｂを範囲Ｅに対して垂直に折り曲げる。
【００３７】
次に、範囲Ｂを対向壁３ａに貼り付けるとともに、舌片１２，１３を範囲Ｅに貼り付ける。これにより、図５に示した状態の包装箱１が組み立てられて、収容部５は閉じられた状態になる。
【００３８】
本実施形態において、図４に示す状態では、露出面である対向壁３ａの外面に商品名称１７が表示され、切り欠き９周囲の壁面によって支持された商品２０は、収容部５の外側に位置する。これにより、消費者に、商品名称１７と商品２０の外観とを容易に視認させることができる。また、切り欠き９が商品名称１７が表示されていない延設壁４に形成されていることで、切り欠き９周囲の壁面によって支持された商品２０は、商品名称１７を覆い隠さない。これにより、消費者に、商品名称１７と商品２０の外観とを確実に視認させることができる。
【００３９】
また、延設壁４における開口１６側の露出面（範囲Ａの表面）の側方に商品２０を位置させ、延設壁４と対向する対向壁３ａの外面に商品名称１７を表示していることで、前記商品２０は、商品名称１７を視認できる所定の視点からの視野内に存在するようになる。このため、消費者は、視点を変えることなく商品名称１７と商品２０の外観とを視認することができる。これにより、消費者に一層容易に商品名称１７と商品２０の外観とを視認させることができる。さらには、上述の商品２０と商品名称１７との位置関係によって、商品２０に向けられる視線の手前側に商品名称１７が位置するようになる。このため、消費者に一層容易に商品名称１７と商品２０の外観とを視認させることができる。
【００４０】
また図２に示したように、延設壁４の範囲Ｂが側壁３の内面と舌片１２，１３の端面との間に挟み込まれることで、切り欠き９が形成された延設壁４の範囲Ａは、収容部５の外側に起立した状態が維持される。このため、切り欠き９周囲の壁面に支持された商品２０は、収容部５の外側に位置した状態が維持される。これにより、商品２０の外観をより確実に消費者に視認させることができる。
【００４１】
また、図５に示したように、延設壁４によって開口１６を塞ぐことで、収容部５を閉じることができるため、包装箱１を用いて商品２０を運搬するときなどに、収容部５から商品２０が落下することを防止することができる。
【００４２】
本実施形態は、特許請求の範囲において種々改変することができる。
【００４３】
例えば、延設壁４の範囲Ｃに切り欠き９を設けて、範囲Ｃの表面の側方に商品を位置させるようにしてもよい。この場合においても、切り欠き９周囲の壁面によって支持された商品２０が商品名称１７を覆い隠すことがないため、商品名称１７と商品２０の外観とを外部から視認できるようになる。
【００４４】
また、上述した実施形態のように、延設壁の範囲Ａに切り欠き９が設けられる場合には、商品名称１７は、左側壁３ｄの外面や右側壁３ｃの外面に表示されてもよい。このようにしても、切り欠き９周囲の壁面によって支持された商品２０が、商品名称１７を覆い隠すことがない。またこの場合には、消費者が範囲Ａに対して斜め前方から包装箱１を視ることで、切り欠き９周囲の壁面によって支持された商品２０と、商品名称１７とは、消費者の視野内に存在するようになる。
【００４５】
また図１５に示すように、商品名称１７を、延設壁４における範囲Ａの開口１６側の表面に表示するとともに、対向壁３ａに切り欠き９を設けるようにしてもよい。この場合、切り欠き９は対向壁３ａを貫通するように形成される。そして、切り欠き９に商品２０の台紙２１を差し込むと、図１６に示すように、切り欠き９周囲の壁面によって支持された商品２０は、対向壁３ａの外面の側方に位置するようになる。このようにしても、商品名称１７は前記壁面に支持された商品２０によって覆い隠されないため、商品名称１７と商品２０の外観とを外部から視認することができる。またさらに、前記壁面に支持された商品２０は、商品名称１７を視認できる所定の視点からの視野内に存在し、商品名称１７に向けられる視線の手前側に位置するようになる。また延設壁４の範囲Ｂが側壁３の内面と舌片１２，１３の端面との間に挟み込まれることで、商品名称１７が表示された範囲Ａは、収容部５の外側に起立した状態が維持される。これにより、商品名称１７を、確実に消費者に視認させることができる。なお、図１５に示した包装箱の展開図は図１６に示すようになり、図１６に示す状態において、商品名称１７は範囲Ａの裏面側に表示されている。包装箱の組み立て方法については、実施形態で述べた組み立て方法と同様であるので説明を省略する。
【００４６】
また、延設壁４が剛性の強い部材から構成される場合には、延設壁４は、折り曲げられることなく収容部５の外側に起立するように設けられてもよい。
【００４７】
また、延設壁４は省略されてもよい。この場合、商品名称１７は、環状の側壁３を構成するいずれかの壁の外面に表示され、切り欠き９は、環状の側壁のうち商品名称１７が表示されていない壁に形成される。このようにすることで、切り欠き９周囲の壁面に支持された商品２０は、商品名称１７が表示されていない壁面の側方に位置するようになるため、前記壁面に支持された商品２０が、商品名称１７を覆い隠すことがない。これにより、商品名称１７と商品２０の外観とを外部から確実に視認できるようになる。
【００４８】
また、商品の形状は、上述の形状に限られず任意に設定される。また商品において、切り欠きに差し込まれる部分の形状も任意に設定され、これに対応して、切り欠きの形状も任意に設定される。
【００４９】
また、商品が金属から構成されている場合などには、磁力を用いる手段によって、商品を収容部５の外側に支持させるようにしてもよい。
【００５０】
また、環状の側壁３の断面は、五角形や六角形など四角形以外の多角形、或いは円形や楕円形に形成されてもよい。この場合、底壁２は、側壁３の一端側を塞ぐ形状に設定される。このようにしても、包装箱の露出面に商品名称１７を表示し、さらに商品名称１７が表示されていない壁面の側方に商品２０を支持する支持手段を包装箱に設けることで、商品名称１７と商品２０の外観とを外部から確実に視認できるようになる。
【００５１】
また、包装箱１の露出面に表示される商品情報としては、上述した商品名称１７に限られず、商品の材質など、商品に関するあらゆる情報とすることができる。
【００５２】
その他、本発明の好適な変形として、以下の構成が含まれる。
【００５３】
本発明の第１の観点に係る包装箱について、好ましくは、前記支持部は、支持した商品を、前記商品に関する情報が視認できる所定の視点からの視野内に存在させるように設けられていることを特徴とする。
【００５４】
または、あるいはさらに、前記包装箱において前記商品に関する情報が表示されていない壁には、前記商品の所定部分が差し込まれる切り欠きが形成され、
前記支持部は、前記切り欠きに前記商品の所定部分が差し込まれた状態で、前記商品の所定部分を前後から挟む前記切り欠きの周囲の壁面によって構成されることを特徴とする。
【００５５】
さらに好ましくは、前記環状の側壁は、前記底壁と反対側が開口し、該開口を介して前記収容部に前記商品を出し入れするようになっていることを特徴とする。
【００５６】
または、あるいはさらに、前記環状の側壁における底壁と反対側の縁の一辺から前記収容部の外側に起立する延設壁をさらに備え、
前記商品に関する情報は、前記環状の側壁の外面に表示され、
前記支持部は、支持した商品を、前記延設壁の壁面の側方に位置させるように設けられていることを特徴とする。
【００５７】
さらに好ましくは、前記商品に関する情報は、前記環状の側壁において前記延設壁と対向する対向壁の外面に表示され、
前記支持部は、支持した商品を、前記延設壁における前記対向壁側の露出面の側方に位置させるように設けられていることを特徴とする。
【００５８】
または、あるいはさらに、前記環状の側壁における底壁と反対側の縁の一辺から前記収容部の外側に起立する延設壁をさらに備え、
前記商品に関する情報は、前記延設壁の露出面に表示され、
前記支持部は、支持した商品を、前記環状の側壁の外面の側方に位置させるように設けられていることを特徴とする。
【００５９】
さらに好ましくは、前記支持部は、支持した商品を、前記環状の側壁において前記延設壁と対向する対向壁の外面の側方に位置させるように設けられ、
前記商品に関する情報は、前記延設壁における前記対向壁側の露出面に表示されていることを特徴とする。
【００６０】
または、あるいはさらに、前記延設壁は、前記側壁における底壁と反対側の縁の一辺に沿って前記開口側に折り曲げられることで、前記開口を塞ぐことが可能に設けられていることを特徴とする。
【００６１】
さらに好ましくは、前記延設壁は、該延設壁の中央に形成された折曲線に沿って前記開口側に折り曲げられることで、その先端部分が前記収容部の内部に位置するとともに、前記先端部分以外の部分が前記収容部の外側に起立するように設けられ、
前記側壁における底壁と反対側の縁において前記延設壁が設けられていない他辺には、該縁の他辺に沿って前記開口側に折り曲げられることで、前記収容部の内部で前記先端部分の前に突出する舌片が延設され、
前記舌片が前記先端部分の前に突出した状態では、前記先端部分が、前記舌片の端面と、前記環状の側壁の内面との間に挟み込まれることで、前記先端部分以外の部分は、前記収容部の外側に起立した状態が維持されていることを特徴とする。
【図面の簡単な説明】
【００６２】
【図１】本発明の包装箱の例を示す斜視図である。
【図２】図１に示す包装箱の組み立て完了後の状態を示す斜視図である。
【図３】商品の例を示す拡大図である。
【図４】図２に示す状態から、切り欠きに商品の台紙が差し込まれた状態を示す斜視図である。
【図５】収容部が閉じられた状態を示す斜視図である。
【図６】図１に示す包装箱の展開図である。
【図７】包装箱の組み立て手順を示す斜視図である。
【図８】包装箱の組み立て手順を示す斜視図である。
【図９】包装箱の組み立て手順を示す斜視図である。
【図１０】包装箱の組み立て手順を示す斜視図である。
【図１１】包装箱の組み立て手順を示す斜視図である。
【図１２】包装箱の組み立て手順を示す斜視図である。
【図１３】包装箱の組み立て手順を示す斜視図である。
【図１４】包装箱の組み立て手順を示す斜視図である。
【図１５】包装箱の変形例を示す斜視図である。
【図１６】図１５に示す状態から、切り欠きに商品の台紙が差し込まれた状態を示す斜視図である。
【図１７】図１５、１６に示す包装箱の展開図である。
【符号の説明】
【００６３】
１    包装箱
２    底壁
３    側壁
３ｂ  対向壁
４    延設壁
５    収容部
６、７、１４、１５    折曲線
９    切り欠き
１２、１３    舌片
１６    開口
１７    商品名称
２０    商品
２２    薄肉部分
【図１】
2009274757.tif 000003
【図２】
2009274757.tif 000004
【図３】
2009274757.tif 000005
【図４】
2009274757.tif 000006
【図５】
2009274757.tif 000007
【図６】
2009274757.tif 000008
【図７】
2009274757.tif 000009
【図８】
2009274757.tif 000010
【図９】
2009274757.tif 000011
【図１０】
2009274757.tif 000012
【図１１】
2009274757.tif 000013
【図１２】
2009274757.tif 000014
【図１３】
2009274757.tif 000015
【図１４】
2009274757.tif 000016
【図１５】
2009274757.tif 000017
【図１６】
2009274757.tif 000018
【図１７】
2009274757.tif 000019